(57)【要約】【課題】  加入者主導で指定された優先度に基づいて複数のサービス間の優先制御を行なうことができる、無線通信ネットワークにおけるサービス優先制御方法を提供する。【解決手段】  複数のサービスを加入者の端末装置に同時に提供可能な無線通信ネットワークにおける、複数のサービス間の優先制御方法であって、  端末装置が、サービスを無線制御装置に要求するステップと、  無線制御装置が、サービスに無線帯域を割り当てるステップとを含み、  無線帯域を割り当てるステップにおいて、無線帯域が不足する場合、無線制御装置が、所定の基準に基づいて、各サービスに割り当てる無線帯域を調整することからなる複数のサービス間の優先制御を行なうことを特徴とする。【選択図】      図４
2006310919.tif 000002
【特許請求の範囲】
【請求項１】
複数のサービスを加入者の端末装置に同時に提供可能な無線通信ネットワークにおける、複数のサービス間の優先制御方法であって、
端末装置が、サービスを無線制御装置に要求するステップと、
無線制御装置が、サービスに無線帯域を割り当てるステップとを含み、
前記無線帯域を割り当てるステップにおいて、無線帯域が不足する場合、無線制御装置が、所定の基準に基づいて、各サービスに割り当てる無線帯域を調整することからなる複数のサービス間の優先制御を行なうことを特徴とする、サービス優先制御方法。
【請求項２】
端末装置が、各サービスを要求する前に、複数のサービスのための無線帯域を無線制御装置に要求するステップと、
無線制御装置が、要求された無線帯域を予め確保するステップとをさらに含み、
前記サービスを無線制御装置に要求するステップが、端末装置がサービスの優先度を無線制御装置に通知することを含み、
前記無線帯域を割り当てるステップにおいて、確保した無線帯域が不足する場合、無線制御装置が、通知されたサービスの優先度に基づいて、複数のサービス間の優先制御を行なうことを特徴とする、請求項１に記載のサービス優先制御方法。
【請求項３】
端末装置が、各サービスを要求する前に、複数のサービスのための無線帯域を無線制御装置に要求するステップと、
無線制御装置が、要求された無線帯域を予め確保するステップとをさらに含み、
前記無線帯域を割り当てるステップにおいて、確保した無線帯域が不足する場合、無線制御装置が、無線帯域が不足しないように各サービスに割り当てる無線帯域を再構成することを端末装置に要求し、かつ該要求に応じて端末装置から通知される再構成された無線帯域に基づいて、複数のサービス間の優先制御を行なうことを特徴とする、請求項１に記載のサービス優先制御方法。
【請求項４】
各サービスの優先度を、無線制御装置が接続されるコアネットワークに予め格納するステップと、
端末装置からサービスが要求されたときに、該サービスの優先度がコアネットワークから無線制御装置に通知されるステップとをさらに含み、
前記無線帯域を割り当てるステップにおいて、無線帯域が不足する場合、無線制御装置が、コアネットワークから通知されるサービスの優先度に基づいて、複数のサービス間の優先制御を行なうことを特徴とする、請求項１に記載のサービス優先制御方法。
【請求項５】
前記サービスを無線制御装置に要求するステップが、端末装置がサービスの優先度を無線制御装置に通知することを含み、
前記無線帯域を割り当てるステップにおいて、無線帯域が不足する場合、無線制御装置が、通知されたサービスの優先度に基づいて複数のサービス間の優先制御を行なうことを特徴とする、請求項１に記載のサービス優先制御方法。
【請求項６】
前記無線帯域を割り当てるステップにおいて、無線帯域が不足する場合、無線制御装置が、各サービスの優先度を通知することを端末装置に要求し、かつ該要求に応じて端末装置から通知されるサービスの優先度に基づいて複数のサービス間の優先制御を行なうことを特徴とする、請求項１に記載のサービス優先制御方法。
【請求項７】
複数のサービスを加入者の端末装置に同時に提供可能な無線通信システムであって、
複数のサービスを要求する端末装置と、
要求された複数のサービスに必要な無線帯域が不足する場合、端末装置から通知される各サービスの優先度、端末装置から通知される無線帯域が不足しないように再構成された各サービスに割り当てる無線帯域、またはコアネットワークから通知される各サービスの優先度のいずれかに基づいて、各サービスに割り当てる無線帯域を調整することからなる複数のサービス間の優先制御を行なう優先制御手段を有する無線制御装置とを備えることを特徴とする無線通信システム。
【請求項８】
複数のサービスを加入者の端末装置に同時に提供可能な無線制御装置であって、
要求されたサービスに必要な無線帯域が不足する場合、端末装置から通知されるサービスの優先度、端末装置によって通知される無線帯域が不足しないように再構成された各サービスに割り当てる無線帯域、またはコアネットワークから通知されるサービスの優先度のいずれかに基づいて、各サービスに割り当てる無線帯域を調整することからなる複数のサービス間の優先制御を行なう優先制御手段を有することを特徴とする無線制御装置。
【請求項９】
複数のサービスに必要な無線帯域が不足する場合、各サービスに割り当てる無線帯域を調整することからなる複数のサービス間の優先制御を行なう無線制御装置から、複数のサービスを同時に提供される加入者の端末装置であって、
要求するサービスの優先度を無線制御装置に通知する優先度通知手段、または無線帯域が不足しないように各サービスに割り当てる無線帯域を再構成して無線制御装置に通知する帯域再構成通知手段を備えることを特徴とする端末装置。
【請求項１０】
端末装置から要求される複数のサービスに必要な無線帯域が不足する場合、各サービスの優先度に基づいて、各サービスに割り当てる無線帯域を調整することからなる複数のサービス間の優先制御を行なう無線制御装置に接続されるコアネットワークであって、
各サービスの優先度を予め格納する格納装置と、
端末装置から無線制御装置にサービスが要求されたときに、要求されたサービスの優先度を無線制御装置に通知する通知装置とを備えることを特徴とするコアネットワーク。
【発明の詳細な説明】
【技術分野】
【０００１】
本発明は、第３世代の移動通信システムであるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサル移動体通信システム）など、異なる種別のサービスを含む複数のサービスを、同時に提供可能な無線通信ネットワークにおける複数のサービス間のサービス優先制御方法に関する。本発明は、さらに、このようなサービス優先制御方法を実現する無線通信システム、無線制御装置、端末装置、およびコアネットワークに関する。
【背景技術】
【０００２】
ＵＭＴＳでは、ＰＳドメイン（パケットサービス）とＣＳドメイン(音声系サービス)とが用意されている。加入者は、例えば、音声系サービスを受けながら、同時にパケットサービスを受けるなど、異なる種別のサービスを含む複数のサービスを、同時に受けることが可能である。
【０００３】
図１に、ＵＭＴＳにおける従来のシステム構成の一例を示す。
【０００４】
ここで、ＵＥ１は、例えば携帯電話端末などの加入者の端末装置であり、無線基地局ＮＢ（ノードＢ）１０、１１、１２との無線接続を介して、無線制御装置ＲＮＣ２０に接続される。無線制御装置ＲＮＣ２０は、さらに、コアネットワークＣＮ３０に接続され、無線帯域（無線リソース）の管理および無線基地局ＮＢ１０、１１、１２の管理などを行なう。コアネットワークＣＮ３０は、さらに、ホームロケーションレジスタＨＬＲ４０に接続される。
【０００５】
図２に、図１に示されるような現行のＵＭＴＳなどの無線通信ネットワークにおけるサービス制御方法のシーケンスの例を示す。この図２には、端末装置ＵＥ１と、無線制御装置ＲＮＣ２０と、コアネットワークＣＮ３０との間で交換されるメッセージが示されている。なお、端末装置ＵＥ１と無線基地局ＮＢ（ノードＢ）１０、１１、１２との間、および無線基地局ＮＢ（ノードＢ）１０、１１、１２と無線制御装置ＲＮＣ２０との間で交換されるメッセージは省略されている。
【０００６】
まず、端末装置ＵＥ１から無線制御装置ＲＮＣ２０に対して、無線帯域を要求するメッセージである「ＲＲＣ（Ｒａｄｉｏ  Ｒｅｓｏｕｒｃｅ  Ｃｏｎｔｒｏｌ）  ｃｏｎｎｅｃｔｉｏｎ  ＲＥＱ」（ＲＲＣ接続要求）が送信され、その際、端末装置ＵＥ１が要求するサービスの種別（例えば、音声系サービスまたはパケットサービス）が指定される（ステップ１００）。
【０００７】
「ＲＲＣ  ｃｏｎｎｅｃｔｉｏｎ  ＲＥＱ」（ＲＲＣ接続要求）を受信した無線制御装置ＲＮＣ２０は、要求されたサービスの種別に応じて、端末装置ＵＥ１に対して、「ＲＲＣ  ｃｏｎｎｅｃｔｉｏｎ  ＳＥＴＵＰ」（ＲＲＣ接続設定）を送信し、ＤＣＣＨ（Ｄｅｄｉｃａｔｅｄ  Ｃｏｎｔｒｏｌ  Ｃｈａｎｎｅｌ）（端末装置ＵＥ１と無線制御装置ＲＮＣ２０との間の個別制御情報の伝送に用いる双方向チャネル）の設定を指示する（ステップ１０１）。
【０００８】
「ＲＲＣ  ｃｏｎｎｅｃｔｉｏｎ  ＳＥＴＵＰ」（ＲＲＣ接続設定）を受信した端末装置ＵＥ１は、ＤＣＣＨを設定し、「ＲＲＣ  ｃｏｎｎｅｃｔｉｏｎ  Ｃｏｍｐｌｅｔｅ」（ＲＲＣ接続完了）を無線制御装置ＲＮＣ２０に送信する（ステップ１０２）。
【０００９】
次に、端末装置ＵＥ１は、無線制御装置ＲＮＣ２０に対して「Ｉｎｉｔｉａｌ  ＤＴ（Ｄｉｒｅｃｔ  Ｔｒａｎｓｆｅｒ）」を送信し、サービスを要求する（ステップ１０３）。
【００１０】
「Ｉｎｉｔｉａｌ  ＤＴ」を受信した無線制御装置ＲＮＣ２０は、そのメッセージをさらにコアネットワークＣＮ３０に送信する（ステップ１０４）。
【００１１】
次に、コアネットワークＣＮ３０から無線制御装置ＲＮＣ２０に対して、「ＲＡＢ  ａｓｓｉｇｎｍｅｎｔ  ＲＥＱ」（ＲＡＢ割当要求）が送信され、ＤＣＨ（Ｄｅｄｉｃａｔｅｄ  Ｃｈａｎｎｅｌ）（ユーザデータの送信に使用する双方向チャネル）の確立が要求される（ステップ１０５）。
【００１２】
「ＲＡＢ  ａｓｓｉｇｎｍｅｎｔ  ＲＥＱ」（ＲＡＢ割当要求）を受信した無線制御装置ＲＮＣ２０は、端末装置ＵＥ１に対して「ＲＢ（Ｒａｄｉｏ  Ｂｅａｒｅｒ）  ＳＥＴＵＰ」（ＲＢ設定）を送信して、ＤＣＨを確立することを端末装置ＵＥ１に要求する（ステップ１０６）。
【００１３】
「ＲＢ  ＳＥＴＵＰ」（ＲＢ設定）を受信した端末装置ＵＥ１は、ＤＨＣを確立し、「ＲＢ  ｓｅｔｕｐ  Ｃｏｍｐｌｅｔｅ」（ＲＢ設定完了）を無線制御装置ＲＮＣ２０に対して送信する（ステップ１０７）。
【００１４】
「ＲＢ  ｓｅｔｕｐ  Ｃｏｍｐｌｅｔｅ」（ＲＢ設定完了）を受信した無線制御装置ＲＮＣ２０は、「ＲＡＢ  ａｓｓｉｇｎｍｅｎｔ  Ｒｅｓｐｏｎｓｅ」（ＲＡＢ割当応答）をコアネットワークＣＮ３０に対して送信する（ステップ１０８）。
【００１５】
以上のようなシーケンスに基づいて、端末装置ＵＥ１とコアネットワークＣＮ３０との間で、無線制御基地局ＲＮＣ２０を介して、端末装置ＵＥ１によって要求されたサービスに対して、無線帯域が割り当てられてサービスが提供される。
【００１６】
現行のサービスに対する優先制御は、ドメイン毎に実施可能であるが、同一加入者に関して、各サービスに割り当てる無線帯域を調整することからなる複数のサービス間の優先制御は提供できなかった。そのため、同一加入者が、複数のサービスを同時に受けようとしたときに、例えばＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ、ＵＭＴＳ地上無線接続ネットワーク）が輻輳しているなどの理由で、それらサービスのための無線帯域が不足している場合には、基本的には、後から要求されたサービスが拒否されていた。例えば、パケット通信中に着信があった場合など、着信を受けたいと思っても、ＵＴＲＡＮ側の無線帯域の不足が理由で拒否される可能性があった。
【００１７】
従来のサービスに対する優先制御方法には、プリエンプションと呼ばれる方法があった。このプリエンプションでは、優先度の高い加入者から要求されたサービスであれば、優先度が低い他の加入者のサービスを切断して、このサービスが優先されていた。しかし、このプリエンプションでの優先制御を受けるためには、加入者は、予め優先度の高いクラスに加入しなければならない。
【００１８】
更に、パケット通信と他サービスとを同時に受ける場合、高いデータレートのパケット通信であればデータレートを低下させ、空いた無線帯域で同一加入者の新規サービスを受け入れることが可能である。しかし、後から追加した通信サービスが終了したときに、元の加入者すなわちデータレートを低下させて無線帯域を空けた加入者に、通信サービスが終了して空いた無線帯域を優先的に割り当て戻すような構成は提供されていない。
【００１９】
また、コアネットワークＣＮから同一加入者に提供するサービス間の優先度を指定することができず、また、加入者主導でサービスの優先度を指定することもできなかった。更に、サービスを受ける場合は、必ずサービス内容を定義する必要があり（音声発信とかパケットサービスとか）、無線帯域を要求する（例えば、無線帯域１００ｋ分を確保する）ことはできなかった。
【発明の開示】
【発明が解決しようとする課題】
【００２０】
本発明は、加入者主導で指定された優先度に基づいて複数のサービス間の優先制御を行なうことができる、無線通信ネットワークにおけるサービス優先制御方法、無線通信システム、無線制御装置、端末装置、およびコアネットワークを提供するものである。
【課題を解決するための手段】
【００２１】
請求項１に係る発明によれば、複数のサービスを加入者の端末装置に同時に提供可能な無線通信ネットワークにおける、複数のサービス間の優先制御方法であって、
端末装置が、サービスを無線制御装置に要求するステップと、
無線制御装置が、サービスに無線帯域を割り当てるステップとを含み、
無線帯域を割り当てるステップにおいて、無線帯域が不足する場合、無線制御装置が、所定の基準に基づいて、各サービスに割り当てる無線帯域を調整することからなる複数のサービス間の優先制御を行なうことを特徴とする。
【００２２】
このような構成を有することによって、無線帯域が不足する場合、従来のように単に後から要求されたサービスを拒否するのではなく、所定の基準に基づいて、各サービスに割り当てる無線帯域を調整することからなる複数のサービス間の優先制御を行なうことができる。
【００２３】
請求項２に係る発明によれば、端末装置が、各サービスを要求する前に、複数のサービスのための無線帯域を無線制御装置に要求するステップと、
無線制御装置が、要求された無線帯域を予め確保するステップとをさらに含み、
サービスを無線制御装置に要求するステップが、端末装置がサービスの優先度を無線制御装置に通知することを含み、
無線帯域を割り当てるステップにおいて、確保した無線帯域が不足する場合、無線制御装置が、通知されたサービスの優先度に基づいて、複数のサービス間の優先制御を行なうことを特徴とする。
【００２４】
このような構成を有することによって、予めサービスのための無線帯域を確保することができるとともに、確保された無線帯域が不足する場合、加入者によって端末装置を介して通知されたサービスの優先度に基づいて、複数のサービス間の優先制御を行なうことができる。
【００２５】
請求項３に係る発明によれば、端末装置が、各サービスを要求する前に、複数のサービスのための無線帯域を無線制御装置に要求するステップと、
無線制御装置が、要求された無線帯域を予め確保するステップとをさらに含み、
無線帯域を割り当てるステップにおいて、確保した無線帯域が不足する場合、無線制御装置が、無線帯域が不足しないように各サービスに割り当てる無線帯域を再構成することを端末装置に要求し、かつ該要求に応じて端末装置から通知される再構成された無線帯域に基づいて、複数のサービス間の優先制御を行なうことを特徴とする。
【００２６】
このような構成を有することによって、予めサービスのための無線帯域を確保することができるとともに、確保された無線帯域が不足する場合、加入者によって端末装置を介して再構成された、無線帯域が不足しないように割り当てられた各サービスに対する無線帯域に基づいて、複数のサービス間の優先制御を行なうことができる。
【００２７】
請求項４に係る発明によれば、各サービスの優先度を、無線制御装置が接続されるコアネットワークに予め格納するステップと、
端末装置からサービスが要求されたときに、該サービスの優先度がコアネットワークから無線制御装置に通知されるステップとをさらに含み、
無線帯域を割り当てるステップにおいて、無線帯域が不足する場合、無線制御装置が、コアネットワークから通知されるサービスの優先度に基づいて、複数のサービス間の優先制御を行なうことを特徴とする。
【００２８】
このような構成を有することによって、無線帯域が不足する場合、加入者によって予めコアネットワークに登録され格納されたサービスの優先度に基づいて、複数のサービス間の優先制御を行なうことができる。
【００２９】
請求項５に係る発明によれば、サービスを無線制御装置に要求するステップが、端末装置がサービスの優先度を無線制御装置に通知することを含み、
無線帯域を割り当てるステップにおいて、無線帯域が不足する場合、無線制御装置が、通知されたサービスの優先度に基づいて複数のサービス間の優先制御を行なうことを特徴とする。
【００３０】
このような構成を有することによって、無線帯域が不足する場合、加入者によってサービス要求時に端末装置を介して通知されたサービスの優先度に基づいて、複数のサービス間の優先制御を行なうことができる。
【００３１】
請求項６に係る発明によれば、無線帯域を割り当てるステップにおいて、無線帯域が不足する場合、無線制御装置が、各サービスの優先度を通知することを端末装置に要求し、かつ該要求に応じて端末装置から通知されるサービスの優先度に基づいて複数のサービス間の優先制御を行なうことを特徴とする。
【００３２】
このような構成を有することによって、無線帯域が不足する場合、加入者によって端末装置を介して通知されたサービスの優先度に基づいて複数のサービス間の優先制御を行なうことができる。
【００３３】
請求項７に係る発明によれば、複数のサービスを加入者の端末装置に同時に提供可能な無線通信システムであって、
複数のサービスを要求する端末装置と、
要求された複数のサービスに必要な無線帯域が不足する場合、端末装置から通知される各サービスの優先度、端末装置から通知される無線帯域が不足しないように再構成された各サービスに割り当てる無線帯域、またはコアネットワークから通知される各サービスの優先度のいずれかに基づいて、各サービスに割り当てる無線帯域を調整することからなる複数のサービス間の優先制御を行なう優先制御手段を有する無線制御装置とを備えることを特徴とする。
【００３４】
このような構成を有することによって、要求された複数のサービスに必要な無線帯域が不足する場合、端末装置から通知される各サービスの優先度、端末装置から通知される無線帯域が不足しないように再構成された各サービスに割り当てる無線帯域、またはコアネットワークから通知される各サービスの優先度のいずれかに基づいて、無線制御装置が、各サービスに割り当てる無線帯域を調整することからなる複数のサービス間の優先制御を行なうことができる無線通信システムを提供することができる。
【００３５】
請求項８に係る発明によれば、複数のサービスを加入者の端末装置に同時に提供可能な無線制御装置であって、
要求されたサービスに必要な無線帯域が不足する場合、端末装置から通知されるサービスの優先度、端末装置によって通知される無線帯域が不足しないように再構成された各サービスに割り当てる無線帯域、またはコアネットワークから通知されるサービスの優先度のいずれかに基づいて、各サービスに割り当てる無線帯域を調整することからなる複数のサービス間の優先制御を行なう優先制御手段を有することを特徴とする。
【００３６】
このような構成を有することによって、要求されたサービスに必要な無線帯域が不足する場合、端末装置から通知されるサービスの優先度、端末装置によって通知される無線帯域が不足しないように再構成された各サービスに割り当てる無線帯域、またはコアネットワークから通知されるサービスの優先度のいずれかに基づいて、各サービスに割り当てる無線帯域を調整することからなる複数のサービス間の優先制御を行なうことができる無線制御装置を提供することができる。
【００３７】
請求項９に係る発明によれば、複数のサービスに必要な無線帯域が不足する場合、各サービスに割り当てる無線帯域を調整することからなる複数のサービス間の優先制御を行なう無線制御装置から、複数のサービスを同時に提供される加入者の端末装置であって、
要求するサービスの優先度を無線制御装置に通知する優先度通知手段、または無線帯域が不足しないように各サービスに割り当てる無線帯域を再構成して無線制御装置に通知する帯域再構成通知手段を備えることを特徴とする。
【００３８】
このような構成を有することによって、要求するサービスの優先度、または無線帯域が不足しないように再構成された各サービスに割り当てる無線帯域を無線制御装置に通知して、優先制御された複数のサービスを受ける端末装置を提供することができる。
【００３９】
請求項１０に係る発明によれば、端末装置から要求される複数のサービスに必要な無線帯域が不足する場合、各サービスの優先度に基づいて、各サービスに割り当てる無線帯域を調整することからなる複数のサービス間の優先制御を行なう無線制御装置に接続されるコアネットワークであって、
各サービスの優先度を予め格納する格納装置と、
端末装置から無線制御装置にサービスが要求されたときに、要求されたサービスの優先度を無線制御装置に通知する通知装置とを備えることを特徴とする。
【００４０】
このような構成を有することによって、複数のサービス間の優先制御を行なう無線制御装置に各サービスの優先度を通知するコアネットワークを提供することができる。
【００４１】
以下、添付の図面を参照して、本発明の好ましい実施形態について記載する。
【発明を実施するための最良の形態】
【００４２】
図３に、本発明の第１の実施形態における無線通信ネットワークのシステム構成の一例を示す。端末装置ＵＥ１は、サービスのための無線帯域を要求するための帯域要求手段２と、サービスの優先度を指定する優先度指定手段３と、指定されたサービスの優先度を無線制御装置に通知する優先度通知手段４とを有する。無線制御装置ＲＮＣ２０は、端末装置ＵＥ１の要求に応じて無線帯域を確保する帯域確保手段２１と、サービスの優先度を保存する優先度保存手段２３と、確保された無線帯域が不足する場合に、優先度保存手段２３に保存されたサービスの優先度に基づいて、複数のサービス間の優先制御を行なう優先制御手段２２とを備える。
【００４３】
図４は、本発明の第１の実施形態におけるサービス優先制御方法のシーケンスの一例を示す。
【００４４】
まず、端末装置ＵＥ１から、無線制御装置ＲＮＣ２０に対して、「ＲＲＣ  ｃｏｎｎｅｃｔｉｏｎ  ＲＥＱ」（ＲＲＣ接続要求）が送信される。その際、端末装置ＵＥ１は、帯域要求手段３を用いてサービスのための無線帯域の確保を要求する（ステップ２００）。
【００４５】
「ＲＲＣ  ｃｏｎｎｅｃｔｉｏｎ  ＲＥＱ」（ＲＲＣ接続要求）を受信した無線制御装置ＲＮＣ２０は、帯域確保手段２１が要求された無線帯域を確保するとともに、端末装置ＵＥ１に対して、「ＲＲＣ  ｃｏｎｎｅｃｔｉｏｎ  ＳＥＴＵＰ」（ＲＲＣ接続設定）を送信し、ＤＣＣＨの設定を要求する（ステップ２０１）。
【００４６】
「ＲＲＣ  ｃｏｎｎｅｃｔｉｏｎ  ＳＥＴＵＰ」（ＲＲＣ接続設定）を受信した端末装置ＵＥ１は、ＤＣＣＨを設定し、「ＲＲＣ  ｃｏｎｎｅｃｔｉｏｎ  Ｃｏｍｐｌｅｔｅ」（ＲＲＣ接続完了）を無線制御装置ＲＮＣ２０に送信する（ステップ２０２）。
【００４７】
次に、端末装置ＵＥ１は、無線制御装置ＲＮＣ２０に対して「Ｉｎｉｔｉａｌ  ＤＴ」を送信し、第１のサービスを要求するとともに、優先度指定手段３によって第１のサービスの優先度Ｐ０を指定し、優先度通知手段４によって指定された優先度を無線制御装置ＲＮＣ２０に通知する（ステップ２０３）。
【００４８】
「Ｉｎｉｔｉａｌ  ＤＴ」を受信した無線制御装置ＲＮＣ２０は、そのメッセージをさらにコアネットワークＣＮ３０に送信するとともに、第１のサービスの優先度Ｐ０を優先度保存手段２３に保存する（ステップ２０４）。
【００４９】
次に、コアネットワークＣＮ３０から無線制御装置ＲＮＣ２０に対して、「ＲＡＢ  ａｓｓｉｇｎｍｅｎｔ  ＲＥＱ」（ＲＡＢ割当要求）が送信され、ＤＣＨの確立を要求する（ステップ２０５）。
【００５０】
「ＲＡＢ  ａｓｓｉｇｎｍｅｎｔ  ＲＥＱ」（ＲＡＢ割当要求）を受信した無線制御装置ＲＮＣ２０は、確保された無線帯域から、要求された第１のサービスに必要な無線帯域を割り当て、端末装置ＵＥ１に対して「ＲＢ  ＳＥＴＵＰ」（ＲＢ設定）を送信して、ＤＣＨを確立することを端末装置ＵＥ１に指示する（ステップ２０６）。
【００５１】
「ＲＢ  ＳＥＴＵＰ」（ＲＢ設定）を受信した端末装置ＵＥ１は、ＤＨＣを確立し、「ＲＢ  ｓｅｔｕｐ  Ｃｏｍｐｌｅｔｅ」（ＲＢ設定完了）を無線制御装置ＲＮＣ２０に対して送信する（ステップ２０７）。
【００５２】
「ＲＢ  ｓｅｔｕｐ  Ｃｏｍｐｌｅｔｅ」（ＲＢ設定完了）を受信した無線制御装置ＲＮＣ２０は、「ＲＡＢ  ａｓｓｉｇｎｍｅｎｔ  Ｒｅｓｐｏｎｓｅ」（ＲＡＢ割当応答）をコアネットワークＣＮ３０に対して送信する（ステップ２０８）。
【００５３】
端末装置ＵＥ１が、無線制御装置ＲＮＣ２０に対して「Ｉｎｉｔｉａｌ  ＤＴ」を送信し、さらに第２のサービスを要求するとともに、優先度指定手段３によって第２のサービスの優先度Ｐ１を指定し、優先度通知手段４によって指定された優先度を無線制御装置ＲＮＣ２０に通知する（ステップ２０９）。
【００５４】
「Ｉｎｉｔｉａｌ  ＤＴ」を受信した無線制御装置ＲＮＣ２０は、そのメッセージをさらにコアネットワークＣＮ３０に送信するとともに、第２のサービスの優先度Ｐ１を優先度保存手段２３に保存する（ステップ２１０）。
【００５５】
次に、コアネットワークＣＮ３０から無線制御装置ＲＮＣ２０に対して、「ＲＡＢ  ａｓｓｉｇｎｍｅｎｔ  ＲＥＱ」（ＲＡＢ割当要求）が送信され、さらなるＤＣＨの確立を要求する（ステップ２１１）。
【００５６】
「ＲＡＢ  ａｓｓｉｇｎｍｅｎｔ  ＲＥＱ」（ＲＡＢ割当要求）を受信した無線制御装置ＲＮＣ２０は、確保された無線帯域から、要求された第２のサービスに必要な無線帯域を割り当てる。確保された無線帯域が、第１のサービスおよび第２のサービスに必要な無線帯域より多い場合には、前述のステップ２０６から２０８と同様のステップで、第２のサービスに対してＤＣＨが確立される。しかし、確保された無線帯域が不足する場合には、優先制御手段２２は、後から要求された第２のサービスを単純に拒否するのではなく、優先度保存手段２３に保存された各サービスの優先度に基づいて複数のサービス間（この場合、第１のサービスおよび第２のサービス）の優先制御を行なう。例えば、第１のサービスの優先度Ｐ０が、第２のサービスの優先度Ｐ１より高いときには、第２のサービスのデータレートを低下させる（第２のサービスに割り当てる無線帯域を減らす）かまたは拒否する（第２のサービスに割り当てる無線帯域を無くす）。第１のサービスの優先度Ｐ０が、第２のサービスの優先度Ｐ１より低いときには、第１のサービスのデータレートを低下させるかまたは拒否する。優先制御手段２２によって行なわれる優先制御に基づいて、無線制御装置ＲＮＣ２０は、端末装置ＵＥ１に対して「ＲＢ  ＳＥＴＵＰ」（ＲＢ設定）を送信する（ステップ２１２）。
【００５７】
「ＲＢ  ＳＥＴＵＰ」（ＲＢ設定）を受信した端末装置ＵＥ１は、「ＲＢ  ｓｅｔｕｐ  Ｃｏｍｐｌｅｔｅ」（ＲＢ設定完了）を無線制御装置ＲＮＣ２０に対して送信する（ステップ２１３）。
【００５８】
「ＲＢ  ｓｅｔｕｐ  Ｃｏｍｐｌｅｔｅ」（ＲＢ設定完了）を受信した無線制御装置ＲＮＣ２０は、「ＲＡＢ  ａｓｓｉｇｎｍｅｎｔ  Ｒｅｓｐｏｎｓｅ」（ＲＡＢ割当応答）をコアネットワークＣＮ３０に対して送信する（ステップ２１４）。
【００５９】
このように、端末装置ＵＥ１から通知される各サービスの優先度に基づいて、複数のサービス間の優先制御を行なうことができる。
【００６０】
図５に、本発明の第２の実施形態における無線通信ネットワークのシステム構成の一例を示す。端末装置ＵＥ１は、サービスのための帯域を要求するための帯域要求手段２と、サービスに対応する無線帯域の再構成を行なうための帯域再構成手段５と、再構成した無線帯域を無線制御装置ＲＮＣ２０に通知する帯域再構成通知手段６とを有する。無線制御装置ＲＮＣ２０は、端末装置ＵＥ１の要求に応じて無線帯域を確保する帯域確保手段２１と、確保された無線帯域が不足する場合、無線帯域が不足しないように各サービスに割り当てる無線帯域の再構成を端末装置ＵＥ１要求する帯域再構成要求手段２４と、サービスの優先制御を行なう優先制御手段２２とを備える。
【００６１】
図６は、本発明の第２の実施形態におけるサービス優先制御方法のシーケンスの一例を示す。図４に示される本発明の第１の実施形態におけるサービス優先制御方法のシーケンスと、図６に示される本発明の第２の実施形態におけるサービス優先制御方法のシーケンスとの相違は、以下の通りである。
【００６２】
本発明の第２の実施形態では、ステップ３０３およびステップ３０９で、端末装置ＵＥ１から無線制御装置ＲＮＣ２０に対して「Ｉｎｉｔｉａｌ  ＤＴ」を送信する際に、各サービスの優先度を通知することがない。
【００６３】
ステップ３１２およびステップ３１３で、確保された無線帯域が不足する場合に、無線制御装置ＲＮＣ２０の優先制御手段２２が実施するサービスの優先制御方法が、第１の実施形態とは異なる。
【００６４】
確保された無線帯域が不足する場合、無線制御装置ＲＮＣ２０の帯域再構成指示手段２４は、端末装置ＵＥ１に対して無線帯域が不足しないように各サービスに割り当てる無線帯域の再構成を要求する（ステップ３１２）。
【００６５】
無線帯域の再構成が要求された端末装置ＵＥ１の帯域再構成手段５は、加入者の指示に基づいて、例えば、第１のサービスまたは第２のサービスの少なくとも一方のデータレートが低くなるように無線帯域の構成を変更する、またはいずれかのサービスの要求を中止するなどの無線帯域の再構成を行なう。帯域再構成通知手段６が、そのように再構成された無線帯域を無線制御装置ＲＮＣ２０に通知する（ステップ３１３）。
【００６６】
無線制御装置ＲＮＣ２０の優先制御手段２２は、端末装置から通知され再構成された無線帯域に基づいて再構成処理行ない、端末装置ＵＥ１に対して「ＲＢ  ＳＥＴＵＰ」（ＲＢ設定）を送信し（ステップ３１４）、このステップ３１４の以降のシーケンスは、第１の実施形態と同様である。
【００６７】
このように、確保された無線帯域が不足する場合に、加入者によって無線帯域が不足しないように各サービスに割り当てられた無線帯域に基づいて、複数のサービス間の優先制御を行なうことができる。
【００６８】
図７に、本発明の第３の実施形態における無線通信ネットワークのシステム構成の一例を示す。無線制御装置ＲＮＣ２０は、コアネットワーク３０を介して通知されるサービスの優先度を保存する優先度保存手段２５と、サービスの優先制御を行なう優先制御手段２２とを備える。コアネットワーク３０に接続されるホームロケーションレジスタＨＬＲ４０は、端末装置ＵＥ１によって登録された各サービスの優先度を予め格納する格納装置４１と、端末装置ＵＥ１からサービスが要求されたときに、このサービスの優先度を、コアネットワーク３０を介して無線制御装置ＲＮＣ２０へ通知する通知装置４２とを有する。
【００６９】
図８は、本発明の第３の実施形態におけるサービス優先制御方法のシーケンスの一例を示す。図２に示される従来の無線通信ネットワークにおけるサービス制御方法と、図８に示される本発明の第３の実施形態におけるサービス優先制御方法のシーケンスとの相違は、以下の通りである。
【００７０】
端末装置ＵＥ１が要求するサービスに対する優先度は、予めホームロケーションレジスタＨＬＲ４０の格納装置４１に登録されることができる。
【００７１】
ステップ４００からステップ４０４からは、従来のサービス制御方法と同じである。
【００７２】
ステップ４０５において、コアネットワークＣＮ３０は、端末装置ＵＥ１から要求された第１のサービスに関する優先度Ｐ０が、ホームロケーションレジスタＨＬＲ４０の通知装置４１から通知されて、無線制御装置ＲＮＣ２０に対する「ＲＡＢ  ａｓｓｉｇｎｍｅｎｔ  ＲＥＱ」（ＲＡＢ割当要求）の送信の際に、この第１のサービスに関する優先度Ｐ０も通知する。この第１のサービスに関する優先度Ｐ０は、無線制御装置ＲＮＣ２０の優先度保存手段２５に保存される。
【００７３】
同様に、ステップ４１１において、コアネットワークＣＮ３０は、端末装置ＵＥ１から要求された第２のサービスに関する優先度Ｐ１が、ホームロケーションレジスタＨＬＲ４０の通知装置４１から通知され、無線制御装置ＲＮＣ２０に対する「ＲＡＢ  ａｓｓｉｇｎｍｅｎｔ  ＲＥＱ」（ＲＡＢ割当要求）の送信の際に、この第２のサービスに関する優先度Ｐ１も通知する。この第２のサービスに関する優先度Ｐ１は、無線制御装置ＲＮＣ２０の優先度保存手段２５に保存される。
【００７４】
無線帯域が不足する場合、無線制御装置ＲＮＣ２０の優先制御手段２２は、優先度保存手段２５に保存されている第１のサービスの優先度Ｐ０および第２のサービスの優先度Ｐ１を読み出し、これらの優先度Ｐ０およびＰ１に基づいて、第１および第２サービス間の優先制御を行なう。例えば、第２のサービスの優先度Ｐ１の方が、第１のサービスの優先度Ｐ０より高い場合、第１のサービスのデータレートを下げるまたは中止して、第２のサービスを優先して、端末装置ＵＥ１に対して「ＲＢ（Ｒａｄｉｏ  Ｂｅａｒｅｒ）  ＳＥＴＵＰ」（ＲＢ設定）を送信する（ステップ４１２）。
【００７５】
このように、無線帯域が不足する場合、コアネットワークＣＮ３０側から通知される各サービスの優先度に基づいて、複数のサービス間の優先制御を行なうことができる。
【００７６】
図９に、本発明の第４の実施形態における無線通信ネットワークのシステム構成の一例を示す。端末装置ＵＥ１は、サービスに対する優先度を通知するための優先度通知手段７を備える。無線制御装置ＲＮＣ２０は、端末装置ＵＥ１から通知されるサービスの優先度を保存する優先度保存手段２６と、複数のサービス間の優先制御を行なう優先制御手段２２とを備える。
【００７７】
図１０は、本発明の第４の実施形態におけるサービス優先制御方法のシーケンスの一例を示す。図８に示される本発明の第３の実施形態におけるサービス優先制御方法のシーケンスと、図１０に示される本発明の第４の実施形態におけるサービス優先制御方法のシーケンスとの相違は、以下の通りである。
【００７８】
ステップ５０３で、端末装置ＵＥ１は、無線制御装置ＲＮＣ２０に対して「Ｉｎｉｔｉａｌ  ＤＴ」を送信し、第１のサービスを要求するとともに、その第１のサービスの優先度Ｐ０を優先度通知手段７によって通知する。この第１のサービスに関する優先度Ｐ０は、無線制御装置ＲＮＣ２０の優先度保存手段２６に保存される。
【００７９】
同様に、ステップ５０９で、端末装置ＵＥ１は、無線制御装置ＲＮＣ２０に対して「Ｉｎｉｔｉａｌ  ＤＴ」を送信し、第２のサービスを要求するとともに、その第２のサービスの優先度Ｐ１を優先度通知手段７によって通知する。この第２のサービスに関する優先度Ｐ１は、無線制御装置ＲＮＣ２０の優先度保存手段２６に保存される。
【００８０】
無線帯域が不足する場合、無線制御装置ＲＮＣ２０の優先制御手段２２は、優先度保存手段２６に保存されている第１のサービスの優先度Ｐ０および第２のサービスの優先度Ｐ１に基づいて、サービスの優先制御を行なう。例えば、第２のサービスの優先度Ｐ１の方が、第１のサービスの優先度Ｐ０より高い場合、第１のサービスのデータレートを下げるまたは中止して、第２のサービスを優先して、端末装置ＵＥ１に対して「ＲＢ  ＳＥＴＵＰ」（ＲＢ設定）を送信する（ステップ５１２）。
【００８１】
このように、無線帯域が不足した場合には、端末装置ＵＥ１から通知されるサービスの優先度に基づいて、複数のサービス間の優先制御を行なうことができる。
【００８２】
図１１に、本発明の第５の実施形態における無線通信ネットワークのシステム構成の一例を示す。無線制御装置ＲＮＣ２０は、無線帯域が不足する場合に、端末装置ＵＥ１に対してサービスの優先度の通知を要求する優先度通知要求手段２７と、端末装置ＵＥ１から通知された優先度に基づいて、複数のサービス間の優先制御を行なう優先制御手段２２とを備える。端末装置ＵＥ１は、無線制御装置ＲＮＣ２０からのサービスの優先度の通知要求を受信する受信手段７と、受信手段７がサービスの優先度の通知要求を受信したときに、サービスの優先度を無線制御装置ＲＮＣ２０に対して回答する優先度回答手段８とを備える。
【００８３】
図１２は、本発明の第５の実施形態におけるサービス優先制御方法のシーケンスの一例を示す。図２に示される従来の無線通信ネットワークにおけるサービス制御方法と、図１２に示される本発明の第５の実施形態におけるサービス優先制御方法のシーケンスとの相違は、以下の通りである。
【００８４】
ステップ６１２で、無線帯域が不足する場合、無線制御装置ＲＮＣ２０は、優先度通知要求手段２７を用いて、端末装置ＵＥ１に対して各サービスの優先度の通知を要求する。
【００８５】
ステップ６１３で、端末装置ＵＥ１の受信手段７が、無線制御装置ＲＮＣ２０から各サービスの優先度の通知要求を受信すると、端末装置ＵＥ１の優先度回答手段８は、各サービスの優先度を無線制御装置ＲＮＣ２０に対して回答する。
【００８６】
ステップ６１４で、無線制御装置ＲＮＣ２０の優先制御手段２２は、端末装置ＵＥ１の優先度回答手段８から通知された各サービスの優先度に基づき、複数のサービス間の優先制御を行ない、端末装置ＵＥ１に対して「ＲＢ  ＳＥＴＵＰ」（ＲＢ設定）を送信する。
【００８７】
このように、無線帯域が不足する場合には、端末装置ＵＥ１から通知されるサービスの優先度に基づいて、複数のサービス間の優先制御を行なうことができる。
【００８８】
以上のように、複数のサービスに対して無線帯域が不足する場合、従来のように単に後から要求されたサービスを拒否するのではなく、所定の基準に基づいて、各サービスに割り当てる無線帯域を調整することからなる複数のサービス間の優先制御を行なうことができるサービス優先制御方法を提供することができる。さらに、このようなサービス優先制御方法を実現できる無線通信システム、無線制御装置、端末装置、およびコアネットワークを提供することができる。
【図面の簡単な説明】
【００８９】
【図１】ＵＭＴＳにおける従来のシステム構成の一例を示す。
【図２】ＵＭＴＳなどの無線通信ネットワークにおけるサービス制御方法のシーケンスの例を示す。
【図３】本発明の第１の実施形態における無線通信ネットワークのシステム構成の一例を示す。
【図４】本発明の第１の実施形態におけるサービス優先制御方法のシーケンスの一例を示す。
【図５】本発明の第２の実施形態における無線通信ネットワークのシステム構成の一例を示す。
【図６】本発明の第２の実施形態におけるサービス優先制御方法のシーケンスの一例を示す。
【図７】本発明の第３の実施形態における無線通信ネットワークのシステム構成の一例を示す。
【図８】本発明の第３の実施形態におけるサービス優先制御方法のシーケンスの一例を示す。
【図９】本発明の第４の実施形態における無線通信ネットワークのシステム構成の一例を示す。
【図１０】本発明の第４の実施形態におけるサービス優先制御方法のシーケンスの一例を示す。
【図１１】本発明の第５の実施形態における無線通信ネットワークのシステム構成の一例を示す。
【図１２】本発明の第５の実施形態におけるサービス優先制御方法のシーケンスの一例を示す。
【符号の説明】
【００９０】
１  端末装置
２  帯域要求手段
３  優先度指定手段
４、７  優先度通知手段
５  帯域再構成手段
６  帯域再構成通知手段
８  受信手段
９  優先度回答手段
１０、１１、１２  無線基地局
２０  無線制御装置
２１  帯域確保手段
２２  優先制御手段
２３、２５、２６  優先度保存手段
２４  帯域再構成要求手段
２７  優先度通知要求手段
３０  コアネットワーク
４０  ホームロケーションレジスタ
４１  格納装置
４２  通知装置
【図１】
2006310919.tif 000003
【図２】
2006310919.tif 000004
【図３】
2006310919.tif 000005
【図４】
2006310919.tif 000006
【図５】
2006310919.tif 000007
【図６】
2006310919.tif 000008
【図７】
2006310919.tif 000009
【図８】
2006310919.tif 000010
【図９】
2006310919.tif 000011
【図１０】
2006310919.tif 000012
【図１１】
2006310919.tif 000013
【図１２】
2006310919.tif 000014